(57)【特許請求の範囲】
【請求項１】
光コネクタの接合面を、送り移動される清掃体により拭き取り清掃する光コネクタ清掃工具であって、
前記清掃体の供給および引取りを行う送り機構と、前記送り機構を収容する収容体と、前記清掃体を前記光コネクタの接合面に当接させるための清掃体押圧部材と、この清掃体押圧部材を収容しかつ該清掃体押圧部材の清掃体受け面に沿って配置された清掃体を表出させる押圧部材収容壁部に脱着可能あるいは前記清掃体受け面に垂直の方向にスライド移動可能に取り付けられ、前記光コネクタを前記清掃体に押さえ込むコネクタ押さえ部材とを有し、
前記コネクタ押さえ部材又は前記押圧部材収容壁部に前記光コネクタを前記清掃体押圧部材の前記清掃体受け面に沿って配置された清掃体に対して位置決めするためのコネクタ位置決め部が設けられ、
前記コネクタ押さえ部材は、前記コネクタ押さえ部材を前記収容体を握った手の手指で前記収容体側へ引っ張り操作するための指掛け部を有し、前記指掛け部を引っ張り操作して前記光コネクタの接合面を前記清掃体に押し当てた状態にて前記清掃体を送り移動させることで前記光コネクタの接合面を清掃することを特徴とする光コネクタ清掃工具。
【請求項２】
前記光コネクタは、前記接合面が形成されたボディに光ファイバの先端部が前記接合面に沿う方向に内挿固定され、前記光ファイバの入射光又は出射光の光路を前記光ファイバ先端の光軸に対して曲げて前記接合面を通るように形成する光軸変更部が前記ボディに設けられ、
前記清掃体に向かって前記光ファイバ先端の光軸方向とは異なる方向への押圧によって前記接合面が前記清掃体に押し当てられることを特徴とする請求項１に記載の光コネクタ清掃工具。
【請求項３】
前記収容体に一体あるいは別体に構成され前記収容体から前側に延出する筒状延出部を有し、この筒状延出部の先端部を構成する押圧部材収容壁部に前記清掃体押圧部材が収容され、
前記コネクタ押さえ部材は、前記押圧部材収容壁部にその軸線方向にスライド移動可能に外挿された筒状本体と、この筒状本体に突設され、前記清掃体押圧部材の前側に張り出すコネクタ押さえ部が形成された押さえ片部とを有することを特徴とする請求項１又は２に記載の光コネクタ清掃工具。
【請求項４】
前記コネクタ押さえ部材は、前記筒状本体の外周あるいは後側に向かって突出し前記収容体からその前側に離隔させて配置された前記指掛け部を有することを特徴とする請求項３に記載の光コネクタ清掃工具。
【請求項５】
前記コネクタ押さえ部材の前記押さえ片部の前記コネクタ押さえ部に、光コネクタを収容するコネクタ収容溝と、該コネクタ収容溝の溝幅方向両側の内壁面における前記コネクタ収容溝の溝底から離隔した位置に突設され前記光コネクタの前記コネクタ収容溝からの脱落を規制するコネクタ保持突部とが形成され、前記コネクタ収容溝及び／又はコネクタ保持突部が前記コネクタ位置決め部として機能することを特徴とする請求項３又は４に記載の光コネクタ清掃工具。
【請求項６】
前記筒状延出部の前記押圧部材収容壁部外周に、前記コネクタ押さえ部材の筒状本体が後側から当接される抜け止め突部が突設され、前記コネクタ押さえ部材はその前端が前記抜け止め突部に当接する位置が、前記押圧部材収容壁部に対する工具前側への移動限界位置とされていることを特徴する請求項３〜５のいずれか１項に記載の光コネクタ清掃工具。
【請求項７】
前記送り機構に設けられて前記収容体にその前後方向に移動可能に収容された支持枠を前記収容体に対して前方向に弾性付勢する付勢手段とを有し、
前記送り機構は、前記清掃体を前記清掃体押圧部材に供給する供給リールと、前記清掃体押圧部材を経た前記清掃体を巻き取る巻取リールとを前記支持枠に取り付けて構成され、
前記筒状延出部は前記送り機構に設けられて前記支持枠からその前側へ延出され、
前記収容体は、前記支持枠が、前記収容体に対して後側へ相対移動されることで、前記巻取リールを巻取り方向に回転駆動させて前記清掃体を送り移動させる駆動部を有することを特徴する請求項３〜６のいずれか１項に記載の光コネクタ清掃工具。
【発明の詳細な説明】
【技術分野】
【０００１】
本発明は、光コネクタの接合面を、清掃テープの送り移動によって拭き取り清掃する光コネクタ清掃工具に関する。
【背景技術】
【０００２】
光コネクタは、突き合わせ接合用の先端面（接合面。以下、接合端面）に汚れや異物が付着していると、着脱時の損傷や伝送損失の増大などの原因になるため、突き合わせ接続に先だって、接合端面を清掃する必要がある。
これに鑑みて、近年では、光コネクタの接合端面の清掃に好適に使用できる清掃工具（光コネクタ清掃工具）が提供されている。
【０００３】
光コネクタ清掃工具としては、清掃テープを送り移動するテープ送り機構が組み込まれた工具本体を有し、該工具本体から突出するヘッド部先端に巻き掛けた清掃テープを、前記ヘッド部先端によって光コネクタの接合端面に押圧した状態で送り移動して、前記接合端面を拭き取り清掃する方式のものがある（以下、第１従来工具。例えば特許文献１）。
また、光コネクタ清掃工具としては、糸状の清掃体を、回転駆動可能な回転シャフト先端のヘッド部に巻き掛けた構成のものもある（以下、第２従来工具。例えば特許文献２）。この光コネクタ清掃工具は、前記ヘッド部を光コネクタの接合端面に押圧したまま、前記ヘッド部及び回転シャフトの軸回り回転と糸状清掃体の送り移動とによって前記接合端面を清掃する。
第１、第２従来工具は、作業者が手指で把持可能な工具本体から突出する筒状突出部の先端に前記ヘッド部を有する。前記筒状突出部は、光コネクタアダプタに挿入することで、光コネクタアダプタに該筒状突出部とは反対の側から挿入嵌合された光コネクタの接合端面に前記ヘッド部が対面するように、光コネクタアダプタによって光コネクタに対して位置決めできる。
なお、第１、第２従来工具は、光コネクタレセプタクルに組み込まれたフェルールの接合端面の清掃についても、筒状突出部をレセプタクルハウジングのコネクタ穴に挿入することで、レセプタクルハウジングを位置決めハウジングとして利用して行なうことができる。
【先行技術文献】
【特許文献】
【０００４】
【特許文献１】特許第４１６３０８３号公報
【特許文献２】特許第４５７９３３０号公報
【発明の概要】
【発明が解決しようとする課題】
【０００５】
ところで、上述の清掃工具（第１従来工具及び第２従来工具）は、光コネクタアダプタに挿入嵌合された光コネクタの接合端面の清掃のみならず、光コネクタアダプタに挿入嵌合されていない光コネクタの接合端面の清掃にも使用される。この場合は、片手の手指で光コネクタを把持し、もう一方の手の手指で清掃工具を把持して、清掃工具のヘッド部に巻き掛けられた清掃体を光コネクタの接合端面に押圧し、前記清掃体を送り移動する。
しかしながら、この場合の清掃は、清掃工具のヘッド部の光コネクタの接合端面に対する押圧向きを安定させることが容易でなく、清掃ムラが生じやすいのが実情であった。
【０００６】
ところで、光コネクタとしては、例えばＳＣ形光コネクタ、ＭＴ形光コネクタ、ＭＰＯ形光コネクタのように、光ファイバの先端面を接合端面に露出させて前記光ファイバ先端部に組み立てられるものが一般的である。光ファイバの先端面を接合端面に露出させて組み立てられる光コネクタを、以下、ファイバ先端露出形光コネクタとも言う。
ここで、ＳＣ形光コネクタ（ＳＣ：Single fiber Coupling optical fiber connector）は、ＪＩＳ Ｃ ５９７３に制定されるＦ０４形光コネクタ、あるいは、ＩＥＣ（国際電気標準化会議）  ６０８７４−１４：１９９３、又はＩＥＣ  ６０８７４−１９：１９９５に準拠する光コネクタを指す。ＭＴ形光コネクタ（ＭＴ:Mechanically Transferable）は、ＪＩＳ Ｃ ５９８１に制定されるＦ１２形光コネクタ、あるいはＩＥＣ  ６０８７４−１６：１９９４に準拠する光コネクタを指す。ＭＰＯ形光コネクタ（ＭＰＯ:Multi-fiber Push On）は、ＪＩＳ  Ｃ５９８２に制定されるＦ１３形光コネクタ、あるいはＩＥＣ
６１７５４−７に準拠する光コネクタを指す。
【０００７】
また、近年、例えば光素子（受光素子又は発光素子）をハウジングに組み込んで回路基板上に実装したモジュールに取り付けて前記光素子に対して光ファイバを光結合する光コネクタとして、前記モジュールのハウジング上面に接合させる接合面を形成したボディに、光ファイバの先端部が前記接合面に沿う向きで内挿固定される構成の光コネクタが実用化されている。この光コネクタを、以下、表面実装型光コネクタとも言う。
【０００８】
この表面実装型光コネクタとしては、アクリル樹脂等の、屈折率が空気よりも大きい透明プラスチック製の板状のボディを用い、該ボディに内挿固定した光ファイバ先端の入射光又は出射光を反射してボディ片面の接合面に概ね直交する屈曲した光路を形成する凹所をボディに設けたものが提案されている。前記凹所は、その内面の一部が、前記入射光又は出射光を反射する反射面とされている。この表面実装型光コネクタを、以下、屈曲光路透過型光コネクタとも言う。
前記屈曲光路透過型光コネクタは、前記光素子に位置決めして前記接合面をハウジング上面に接合し前記モジュールに取り付けることで、前記凹所の反射面を介して形成される光路を以て光素子と光ファイバとを光結合できる。なお、前記モジュールの光素子は、前記モジュールのハウジングに形成された透光窓を介して、ハウジング上面側に対する受発光が可能になっている。
【０００９】
前記屈曲光路透過型光コネクタは、ボディに内挿固定された光ファイバ先端の入射光又は出射光の光路が、接合面の中央部を通る構成となっている。そして、屈曲光路透過型光コネクタは、接合面中央部の汚れや異物の付着が伝送損失の増大に与える影響が大きいため、前記モジュールのハウジング上面への接合面の接合に先だって、特に接合面中央部の清掃を確実に行う必要がある。しかしながら、これまで、屈曲光路透過型光コネクタの接合面中央部の清掃をむら無く容易に実現できる光コネクタ清掃工具が無いのが実情である。
【００１０】
前記屈曲光路透過型光コネクタは、小型化が進展しており、指先で所望の向きに安定に把持することが容易でないサイズのものが多々存在する。
第１、第２従来工具は、作業者が手指で工具本体を把持して操作し、ヘッド部を屈曲光路透過型光コネクタの接合面中央部に位置合わせして押圧することで、清掃テープを屈曲光路透過型光コネクタの接合面中央部に押し付け可能である。しかしながら、この工具を使用した清掃は、ヘッド部先端の接合面中央部に対する押圧向きの安定化が難しく、接合面中央部をむら無く清掃することは容易でない。特にサイズが小さい屈曲光路透過型光コネクタの接合面の清掃は、工具のヘッド部先端の接合面中央部に対する押圧向きの安定化がより難しく、清掃ムラの問題がより顕著になる傾向になる。
【００１１】
このような事情に鑑みて、屈曲光路透過型光コネクタの接合面中央部の清掃は、作業者が綿棒を用いて手作業で行っているのが実情である。しかしながら、綿棒を用いた手作業での清掃は、作業者の技量に依存するため、良好な清掃状態を安定に得ることが難しい、作業性が低いといった問題があった。
【００１２】
本発明は、前記課題に鑑みて、光コネクタアダプタ等の位置決めハウジングを使用することなく、光コネクタの接合面の清掃をむらなく行える光コネクタ清掃工具の提供を目的としている。
【課題を解決するための手段】
【００１３】
上記課題を解決するために、本発明では以下の構成を提供する。
第１の発明は、光コネクタの接合面を、送り移動される清掃体により拭き取り清掃する光コネクタ清掃工具であって、前記清掃体の供給および引取りを行う送り機構と、前記送り機構を収容する収容体と、前記清掃体を前記光コネクタの接合面に当接させるための清掃体押圧部材と、この清掃体押圧部材を収容しかつ該清掃体押圧部材の清掃体受け面に沿って配置された清掃体を表出させる押圧部材収容壁部に脱着可能あるいは前記清掃体受け面に垂直の方向にスライド移動可能に取り付けられ、前記光コネクタを前記清掃体に押さえ込むコネクタ押さえ部材とを有し、前記コネクタ押さえ部材又は前記押圧部材収容壁部に前記光コネクタを前記清掃体押圧部材の前記清掃体受け面に沿って配置された清掃体に対して位置決めするためのコネクタ位置決め部が設けられ、前記コネクタ押さえ部材は、前記コネクタ押さえ部材を前記収容体を握った手の手指で前記収容体側へ引っ張り操作するための指掛け部を有し、前記指掛け部を引っ張り操作して前記光コネクタの接合面を前記清掃体に押し当てた状態にて前記清掃体を送り移動させることで前記光コネクタの接合面を清掃することを特徴とする光コネクタ清掃工具を提供する。
第２の発明は、前記光コネクタは、前記接合面が形成されたボディに光ファイバの先端部が前記接合面に沿う方向に内挿固定され、前記光ファイバの入射光又は出射光の光路を前記光ファイバ先端の光軸に対して曲げて前記接合面を通るように形成する光軸変更部が前記ボディに設けられ，前記清掃体に向かって前記光ファイバ先端の光軸方向とは異なる方向への押圧によって前記接合面が前記清掃体に押し当てられることを特徴とする第１の発明の光コネクタ清掃工具を提供する。
第３の発明は、前記収容体に一体あるいは別体に構成され前記収容体から前側に延出する筒状延出部を有し、この筒状延出部の先端部を構成する押圧部材収容壁部に前記清掃体押圧部材が収容され、前記コネクタ押さえ部材は、前記押圧部材収容壁部にその軸線方向にスライド移動可能に外挿された筒状本体と、この筒状本体に突設され、前記清掃体押圧部材の前側に張り出すコネクタ押さえ部が形成された押さえ片部とを有することを特徴とする第１又は２の発明の光コネクタ清掃工具を提供する。
第４の発明は、前記コネクタ押さえ部材は、前記筒状本体の外周あるいは後側に向かって突出し前記収容体からその前側に離隔させて配置された前記指掛け部を有することを特徴とする第３の発明の光コネクタ清掃工具を提供する。
第５の発明は、前記コネクタ押さえ部材の前記押さえ片部の前記コネクタ押さえ部に、光コネクタを収容するコネクタ収容溝と、該コネクタ収容溝の溝幅方向両側の内壁面における前記コネクタ収容溝の溝底から離隔した位置に突設され前記光コネクタの前記コネクタ収容溝からの脱落を規制するコネクタ保持突部とが形成され、前記コネクタ収容溝及び／又はコネクタ保持突部が前記コネクタ位置決め部として機能することを特徴とする第３又は４の発明の光コネクタ清掃工具を提供する。
第６の発明は、前記筒状延出部の前記押圧部材収容壁部外周に、前記コネクタ押さえ部材の筒状本体が後側から当接される抜け止め突部が突設され、前記コネクタ押さえ部材はその前端が前記抜け止め突部に当接する位置が、前記押圧部材収容壁部に対する工具前側への移動限界位置とされていることを特徴する第３〜５のいずれか１つの発明の光コネクタ清掃工具を提供する。
第７の発明は、前記送り機構に設けられて前記収容体にその前後方向に移動可能に収容された支持枠を前記収容体に対して前方向に弾性付勢する付勢手段とを有し、前記送り機構は、前記清掃体を前記清掃体押圧部材に供給する供給リールと、前記清掃体押圧部材を経た前記清掃体を巻き取る巻取リールとを前記支持枠に取り付けて構成され、前記筒状延出部は前記送り機構に設けられて前記支持枠からその前側へ延出され、前記収容体は、前記支持枠が、前記収容体に対して後側へ相対移動されることで、前記巻取リールを巻取り方向に回転駆動させて前記清掃体を送り移動させる駆動部を有することを特徴する第３〜６のいずれか１つの発明の光コネクタ清掃工具を提供する。
【発明の効果】
【００１４】
本発明によれば、コネクタ押さえ部材によって、光コネクタを、清掃体押圧部材の清掃体受け面に沿って配置された清掃体に押さえ込むことができる。また、コネクタ押さえ部材及び／又は前記押圧部材収容壁部に設けられたコネクタ位置決め部によって、光コネクタの接合面を清掃体に位置合わせした状態で清掃できる。したがって、光コネクタアダプタ等の位置決めハウジングを使用することなく、光コネクタを接合面の清掃をむらなく行える。
【図面の簡単な説明】
【００１５】
【図１】本発明の光コネクタ清掃工具の一実施形態の光コネクタ清掃工具を示す斜視図である。
【図２】コネクタ押さえ部材を取り外した状態の前記実施形態の光コネクタ清掃工具の斜視図である。
【図３】前記実施形態の光コネクタ清掃工具の正断面図である。
【図４】前記実施形態の光コネクタ清掃工具に用いられる駆動体を示す正面図である。
【図５】前記実施形態の光コネクタ清掃工具の内部構造を示す分解斜視図である。
【図６】前記実施形態の光コネクタ清掃工具に用いられるヘッド部材を示す斜視図である。
【図７】前記実施形態の光コネクタ清掃工具のヘッド部材付近の、押圧部材収容壁部を取り外した状態を示す平面図である。
【図８】図７の正断面である。
【図９】前記実施形態の光コネクタ清掃工具に用いられる送り機構の収容部分を示す平面図である。
【図１０】前記実施形態の光コネクタ清掃工具に用いられる送り機構を示す平面図である。
【図１１】前記実施形態の光コネクタ清掃工具に用いられる送り機構を示す正面図である
【図１２】前記実施形態の光コネクタ清掃工具に用いられる送り機構を示す斜視図である。
【図１３】前記実施形態の光コネクタ清掃工具に用いられる送り機構を示す底面側からの斜視図である。
【図１４】前記送り機構のトラバース機構に用いられるガイド部材の斜視図である。
【図１５】前記送り機構のトラバース機構に用いられる回転部材の斜視図である
【図１６】前記実施形態の光コネクタ清掃工具の使用方法を示す工程図である。
【図１７】収容体の図１とは反対側の外観を示す斜視図である。
【図１８】コネクタ押さえ部材の正面側から構造を示す斜視図である。
【図１９】コネクタ押さえ部材の後面側から構造を示す斜視図である。
【図２０】コネクタ押さえ部材の構造を説明する図であり、（ａ）は背面図、（ｂ）は押さえ片部側から見た構造を示す図、（ｃ）は平面図、（ｄ）は指掛け部側から見た構造を示す図、（ｅ）は正面図、（ｆ）は正断面図である。
【図２１】コネクタ取付部と光コネクタとの関係を説明する拡大図である。
【図２２】清掃対象の光コネクタの一例を示す斜視図である。
【図２３】図１の光コネクタ清掃工具を用いて清掃する光コネクタ（光軸変更部付き光コネクタ）の一例を示す図であって、（ａ）は背面側から見た図（平面図）、（ｂ）は側面図、（ｃ）は接合面側から見た図（下面図）である。
【図２４】図１の光コネクタ清掃工具を用いて光コネクタを清掃する作業の一例を示す斜視図である。
【図２５】図１の光コネクタ清掃工具を用いて光コネクタを清掃する作業の一例を示す斜視図である。
【図２６】図１の光コネクタ清掃工具を用いて光コネクタを清掃する作業の一例を示す斜視図である。
【図２７】図１の光コネクタ清掃工具を用いて光コネクタを清掃する作業の一例を示す斜視図である。
【図２８】前記実施形態の光コネクタ清掃工具に用いられる送り機構の動作を示す工程図であり、（ａ）は初期状態を示す断面図であり、（ｂ）は収容体が前方移動した状態を示す断面図である。
【図２９】図２８（ａ）、（ｂ）を前筒部材を取り外した状態で示した図である。
【図３０】光コネクタの溝部と、ヘッド部材の先端ヘッド部の突条部との関係を説明する図である。
【図３１】図２３の光コネクタ外側にカバー部材を取り付けて、図１の光コネクタ清掃工具を用いて接合面の清掃を行なう例を説明する斜視図である。
【図３２】図３１の次の工程を説明する図である。
【図３３】図３１のカバー付き光コネクタの前筒部材前端部による位置決め状態を説明する図である。
【図３４】図２３の光コネクタにカバー部材を装着して組み立てたカバー付き光コネクタを示す図であって、（ａ）は背面側から見た図（平面図）、（ｂ）は側面図、（ｃ）は接合面側から見た図（下面図）である。
【図３５】図２３の光コネクタ外側に装着するカバー部材の一例を示す図であって、（ａ）は背面側から見た斜視図、（ｂ）は背面側とは反対のカバー開口側から見た斜視図である。
【図３６】本発明に係る実施形態の光コネクタ清掃工具の他の例を説明する斜視図である。
【図３７】図３６の光コネクタ清掃工具の構造を示す正面図である。
【発明を実施するための形態】
【００１６】
以下、本発明の実施形態である光コネクタ清掃工具１（以下、単に「清掃工具」ともいう）を、図面を参照して説明する。
図１〜図５に示すように、清掃工具１は、清掃体２の供給および引取り（巻き取り）を行う送り機構３（図３参照）と、送り機構３が組み立てられた支持枠３５と、該支持枠３５を収容する収容体１１と、前記支持枠３５から収容体１１外側に延出する筒状延出部２０とを有している。また、この清掃工具１は、筒状延出部２０（以下、単に延出部とも言う）の先端において清掃体２を光コネクタ７０の接合面に押し当てるヘッド部材２３（清掃体押圧部材）と、光コネクタ７０を前記ヘッド部材２３との間に清掃体２を挟み込むようにして清掃体２に押さえ込むコネクタ押さえ部材６２と、を備えている。
以下の説明においては、延出部２０の支持枠３５に対する延出方向、すなわち延出部２０の先端側（図３の右方）を前、その反対方向を後、として説明する。
【００１７】
図３に示すように、収容体１１は、筒状のケース部１２と、ケース部１２内にあってケース部１２に対し位置決めして組み込まれた駆動体１３とを有する。
ケース部１２の前端には、延出部２０が挿通する挿通口１２ａが形成されている。ケース部１２の後端には、送り機構３等を出し入れする開口部１２ｂが形成されている。
【００１８】
図４、図５に示すように、駆動体１３は、長板状の基板５３と、基板５３の内面５３ａから基板５３の厚さ方向に突出して形成された挿入凸部５４と、基板５３の一方の側縁部に内面５３ａ側に突出して形成された厚板部５５と、基板５３の前端部に形成された押圧部５７と、基板５３の後端部から内面５３ａ側に延出して形成された後端板５８とを備えている。
【００１９】
図４に示すように、厚板部５５の内側面には、鋸歯状のギア受け部５６（駆動部）が形成されている。
ギア受け部５６は、送り機構３に対する駆動体１３の前方移動によって巻取リール３１を巻取り方向に回転駆動させる駆動部であって、基板５３の長手方向に並んだ複数の受け歯部５６ａからなる。
なお、本形態例では、鋸歯状のギア受け部５６が採用されているが、巻取リール３１を駆動させるための構成はこれに限らず、巻取リール３１に回転方向の力を加えることができるものであれば、例えば巻取リール３１の外周縁に当接して摩擦により巻取リール３１に回転方向の力を加えるものなど、他の構成を採用してもよい。
【００２０】
図４、図５に示すように、押圧部５７は、付勢手段４０を押圧する押圧板５７ａと、その周縁に形成された筒状の保持筒部５７ｂとを有する。ここで押圧板５７ａは、基板５３の内面から基板５３の厚さ方向に突出して、前後方向に対して直交するように形成されている。保持筒部５７ｂは、付勢手段４０の位置ずれを規制するものであり、付勢手段４０の後端部を収容するように作られている。
【００２１】
図５に示すように、駆動体１３の基板５３の外面５３ｃには、係止突起５３ｂが突出して形成されている。図１７に示すように、係止突起５３ｂはケース部１２の係止穴１２ｃに係止可能である。
駆動体１３は、係止突起５３ｂが係止穴１２ｃに係止することによってケース部１２に対し位置決めされており、支持枠３５に対してケース部１２とともに移動する。
【００２２】
図６に示すように、ヘッド部材２３は、ガイド筒部８１の挿通孔８７に挿入可能な挿入部９１と、挿入部９１の前端に形成された外観概ねブロック状の先端ヘッド部２８と、この先端ヘッド部２８の後端両側に突設されたフランジ部９２とを備えている。
この先端ヘッド部２８の先端面は、清掃体２を光コネクタ７０の接合面７２（図２３（ｂ）、（ｃ）参照）に押し当てる押当て面２４（清掃体受け面）となる。
【００２３】
図６〜図８に示すように、先端ヘッド部２８には、基端部から先端方向に向かって、テープ状の清掃体２を導くガイドスリット２６Ａ、２６Ｂが形成されている。さらに先端ヘッド部２８には、ガイドスリット２６の前端部から先端ヘッド部２８の外面にかけてガイド口部２５が形成されている。
ここでガイド口部２５は、送り機構３（供給リール３０）からの清掃体２を押当て面２４に導く（または押当て面２４を通過した清掃体２を送り機構３（トラバース機構１２０のガイド部材１２２および巻取リール３１）に導く）ためのものである。このように先端ヘッド部２８のガイド口部２５は、清掃体２が押当て面２４から外れることを防ぐ。
【００２４】
図６〜図８に示すように、ヘッド部材２３の挿入部９１は板状に形成されている。図８に示すように、ガイド筒部８１の前端部の内側には、平坦な一対の回転止面８４が互いに平行に形成されている。挿入部９１は、一方面側の平坦部９３Ａと他方面側の平坦部９３Ｂとをガイド筒部８１前端の一対の回転止面８４に沿わせて、一対の回転止面８４の間に開口する挿通孔８７に挿入されてガイド筒部８１に対して回り止めされている。これにより、ヘッド部材２３がガイド筒部８１に対して軸回り回転しないように回り止めされている。
またこの挿入部９１には、係合爪９３ａを有する弾性片９３ｂが形成されている。係合爪９３ａは、ガイド筒部８１に形成された係合開口部８１ａ（係合凹部）（図５参照）の前縁に係止することにより、ヘッド部材２３の前方移動を規制することができる。
【００２５】
図８における符号９４は、ガイド筒部８１の前端とヘッド部材２３のフランジ部９２との間に設けられた付勢手段（例えばコイルスプリングなどのバネ部材）を示す。この付勢手段９４は、光コネクタ７０の接合面７２に押し当てたヘッド部材２３を前方に弾性付勢するためのものである。
【００２６】
図３、図７、図８に示すように、ヘッド部材２３には、供給リール３０から引き出されたテープ状の清掃体２（清掃テープ）が巻き回されている。
ここで清掃体２は、連続的に繰り出し可能な程度に軟質で一方向に連続するテープ状のものであれば、特に限定されるものではなく、公知の適当な清浄布（不織布や織布）をテープ状に加工したものを採用することができる。具体的には、例えばポリエステルやナイロンなどの極細の繊維で構成されたテープを使用することができる。なおテープ状の清掃体２としては、その幅は１．０〜２．５ｍｍ程度が好適であり、厚さは０．１〜０．２ｍｍ程度が好適である。
【００２７】
テープ状の清掃体２は、供給リール３０からガイド筒部８１内側を貫通する挿通孔８７を経て、ヘッド部材２３に至る。このヘッド部材２３において、清掃体２は、挿入部９１の平坦部９３Ａ、ガイドスリット２６Ａを経て先端ヘッド部２８の押当て面２４に至り、ガイド口部２５、ガイドスリット２６Ｂ、通過口９２Ｂ、平坦部９３Ｂを通り、挿通孔８７を通り、さらに後述するトラバース機構１２０のガイド部材１２２を経て巻取リール３１に達するように巻回される。
なお逆にテープ状の清掃体２を、供給リール３０からガイド筒部８１内側の挿通孔８７を経てヘッド部材２３に達し、平坦部９３Ｂ、通過口９２Ｂ、ガイドスリット２６Ｂ、ガイド口部２５を経て押当て面２４に至り、ガイドスリット２６Ａ、平坦部９３Ａ、挿通孔８７を通り、さらにトラバース機構１２０のガイド部材１２２を経て巻取リール３１に達するように巻回すこともできる。
【００２８】
図３、図５、図９〜図１３に示すように、送り機構３は、テープ状の清掃体２を巻装した供給リール３０（供給手段）と、使用後の清掃体２を巻取って回収する巻取リール３１（引取り手段）とを有する。また、この送り機構３は、巻取リール３１の一端側に装着された第１のギヤ３８と、巻取リール３１の他端側に固定された第２のギヤ１３０と、前記ヘッド部材２３を経たテープ状清掃体２が通過するガイド部材１２２とを有する。この送り機構３は、巻取リール３１の回転軸線に直交する面内で前記ガイド部材１２２が回転しないように阻止すると同時に、巻取リール３１の回転軸線に平行な方向への直線移動を許容（もしくは案内）するためのレール状の回転阻止部材１３８と、前記ガイド部材１２２に係合してこれを前記方向へ往復移動させるための回転部材１２６と、巻取リール３１の回転を前記回転部材１２６に伝達するための中間回転伝達体１２８とをさらに有する。また、この送り機構３は、供給リール３０、巻取リール３１、回転部材１２６、および中間回転伝達体１２８をそれぞれ回転自在に支持する支持枠３５を備えている。
【００２９】
ここで、第２のギヤ１３０と、ガイド部材１２２と、回転阻止部材１３８と、回転部材１２６と、中間回転伝達体１２８とは、テープ状の清掃体２の走行位置を、巻取リール３１に至る手前の位置において巻取リール３１の回転軸線と平行な方向に往復移動させるためのトラバース機構１２０を構成している。また中間回転伝達体１２８は、同心状に２段重ねに設けた大径ギヤ１２８Ａおよび小径ギヤ１２８Ｂによって構成され、また回転部材１２６は、同軸上に設けた被動ギヤ部１２６Ａおよび円柱部１２６Ｂによって構成されている。なお、上記の回転部材１２６は、巻取リール３１の回転に連動する回転運動を、前記ガイド部材１２２の往復直線運動に変換するための運動変換機構を構成している。これらの詳細については、後に改めて説明する。
【００３０】
図３および図９に示すように、支持枠３５は、基板４１と、供給リール３０を回転自在に支持する供給リール支持軸３２と、巻取リール３１を回転自在に支持する巻取リール支持軸３３と、回転部材１２６を回転自在に支持する回転部材支持軸１３６と、中間回転伝達体１２８を回転自在に支持する中間回転伝達体支持軸１３２と、基板４１の両側縁部に形成された側板４４Ａ、４４Ｂと、両側板４４Ａ、４４Ｂ間に設けられた仕切板４３と、基板４１の前端部に形成された前端板４６を備えている。ここで仕切板４３は、両側板４４Ａ、４４Ｂ間の空間を、筒体基部収容部３６と付勢手段収容部３７とに区画するためのものである。
【００３１】
筒体基部収容部３６は、延出部２０を構成するガイド筒部８１の筒体基部８１ｂを収容するように作られている。そして一方の側板４４Ａの後端近傍には、筒体基部８１ｂの後方移動を規制する規制板４２Ａが形成され、仕切板４３の後端部にも、筒体基部８１ｂの後方移動を規制する規制板４２Ｂが形成されている。また前端板４６には、延出部２０が挿通する凹部４６ａが形成されている。
このような構成により、筒体基部収容部３６は、筒体基部８１ｂの後方移動を規制板４２Ａ、４２Ｂにより規制するとともに、前端板４６によって前方移動を規制することになる。
【００３２】
付勢手段収容部３７は、他方の側板４４Ｂと仕切板４３との間の空間であって、付勢手段４０を収容する。一方前端板４６の後面には、付勢手段収容部３７内の付勢手段４０の前端部に挿入されて付勢手段４０を位置決めする保持突起３９が後方に突出して形成されている（図３参照）。
【００３３】
ここで、支持軸３２、３３、１３２、１３６の位置は、供給リール３０、トラバース機構１２０の回転部材１２６およびガイド部材１２２、巻取リール３１の設置位置（前後方向位置）が、筒体基部収容部３６および付勢手段収容部３７より後方寄りとなるように定められている。
図示の例では、供給リール支持軸３２は、供給リール３０がトラバース機構１２０（回転部材１２６とガイド部材１２２）および巻取リール３１の後方に位置するように、巻取リール支持軸３３の後方に定められている。またその巻取リール支持軸３３は、巻取リール３１がトラバース機構１２０（回転部材１２６とガイド部材１２２）の後方に位置するように、回転部材支持軸１３６および中間ギヤ支持軸１３２の後方に定められている。
【００３４】
基板４１には、リール３０、３１の径方向に対し垂直に延出する延出板４５Ａ、４５Ｂが形成され、延出板４５Ａ、４５Ｂの先端には、それぞれリール３０、３１に向けて突出する係止爪４５Ａａ、４５Ｂａが形成されている。各延出板４５Ａ、４５Ｂは弾性的に曲げ変形可能であり、各係止爪４５Ａａ、４５Ｂａはリール３０、３１に対し接近および離間する方向に移動可能である。
【００３５】
図１１〜図１３に示すように、供給リール３０は、繰り出すべきテープ状の清掃体２が巻付けられる胴部４７Ａと、胴部４７Ａの一端に設けられた第１フランジ板４８Ａと、胴部４７Ａの他端に設けられた第２フランジ板４９Ａとを備えている。また巻取リール３１も、同様にテープ状の清掃体２が巻付けられる胴部４７Ｂと、胴部４７Ｂの一端に設けられた第１フランジ板４８Ｂと、胴部４７Ｂの他端に設けられた第２フランジ板４９Ｂとを備えている。そして各第１フランジ板４８Ａ、４８Ｂの外面には、周方向に沿って配列された複数の係止凹部（図示略）が形成されており、延出板４５Ａ、４５Ｂの係止爪４５Ａａ、４５Ｂａが前記係止凹部に係合することにより、リール３０、３１の逆方向回転が阻止されるようになっている。また第２フランジ板４９Ａ、４９Ｂの外面には、周方向に沿って配列された複数の係止凸部（図示略）が形成されている。なおリール３０、３１は、胴部４７Ａ、４７Ｂに支持軸３２、３３（図９参照）を挿通させることによって支持枠３５に装着されている。
【００３６】
さらに巻取リール３１の第２フランジ板４９Ｂの外面側には、前述の第１のギヤ３８が配設され、同じく巻取リール３１の第１フランジ板４８Ｂの外面側には、第２のギヤ１３０が固定されている。
第１のギヤ３８は、図１０、図１１に示すように、円板状の基板８９と、基板８９の一方の面に形成された歯車部８８とを有する。基板８９の他方の面には、巻取リール３１の係止凸部（図示略）に係止する係止突起（図示略）が形成されている。そして歯車部８８は、駆動体１３のギヤ受け部５６の受け歯部５６ａに噛み合う歯部８８ａを有する。ここで、第１のギヤ３８は、巻取リール３１の第２フランジ板４９Ｂに重ねて配置され、基板８９の係止突起（図示略）が第２フランジ板４９Ｂの係止凸部（図示略）に係止されるため、第１のギヤ３８の回転に従って巻取リール３１も回転する。一方、第１のギヤ３８が巻取り方向とは逆の方向に回転する場合には、係止突起（図示略）は、係止凸部（図示略）には係止されない。
【００３７】
図３に示すように、付勢手段４０は、前方に相対移動した状態の収容体１１を、支持枠３５に反力をとって後方に付勢するものであって、コイルスプリングなどのバネ部材が好適に用いられる。その場合、前端板４６（図９参照）に反力をとって駆動体１３の押圧部５７（図４、図５参照）を後方に付勢することができる。
【００３８】
図２、図５、図７、図８に示すように、筒状延出部２０は、ガイド筒部８１と、該ガイド筒部８１にその軸線方向（工具前後方向）にスライド移動可能に外挿して設けられた後筒部材８２と、この後筒部材８２の前端部に外挿して組み付けた前筒部材８３とを有して構成されている。
図３、図５に示すように、前記ガイド筒部８１は、既述のように支持枠３５（図３参照）の筒体基部収容部３６に組み込んで支持枠３５に組み付けられたブロック状の筒体基部８１ｂと、この筒体基部８１ｂから前側へ延出する延出筒部８１ｃとを有する。
筒体基部８１ｂの駆動体１３に対面する側には、前後方向に互いに平行に延在する一対の突条８１ｄが突設され、この一対の突条８１ｄの間に、駆動体１３の挿入凸部５４が挿入される凸部案内溝８１ｅが確保されている。
【００３９】
図５に示すように、後筒部材８２は、その後端部に形成された係止長孔８２ａに、ガイド筒部８１の延出筒部８１ｃの後端部外周に突出する係止爪８１ｆを入り込ませている。係止孔８２ａは後筒部材８２の軸線方向に沿って細長に延在形成されている。後筒部材８２は、その後端がガイド筒部８１の筒体基部８１ｂに当接する位置と、前記係止長孔８２ａ後端に位置する部分が前記係止爪８１ｆに係合する位置との間で、ガイド筒部８１に対してスライド移動可能である。
また、後筒部材８２は、その後端部外周に突設されたフランジ部８２ｂと、ガイド筒部８１の筒体基部８１ｂとの間に介在配置された後筒付勢手段８５によってガイド筒部８１に対して工具前側へ弾性付勢されている。図示例の後筒付勢手段８５は具体的にはコイルスプリングであり、後筒部材８２の前記フランジ部８２ｂから後側の部分、及びガイド筒部８１の延出筒部８１ｃに外挿して、後筒部材８２のフランジ部８２ｂと、ガイド筒部８１の筒体基部８１ｂとの間に介在配置されている。
【００４０】
図５、図８に示すように、前筒部材８３は角筒状に形成されている。前筒部材８３は、その後端部を後筒部材８２の前端部に外挿している。前筒部材８３の内側孔は、後筒部材８２を収容可能な後端部から前側が後端部に比べて狭く形成されている。前筒部材８３は、その内側孔の後端部とその前側部分との境界の段差面８３ａを、後筒部材８２前端面に当接させている。また、前筒部材８３は、その後端部に形成された係止孔８３ｂに、後筒部材８２前端部外周に突設された固定突起８２ｃを嵌め込んで、後筒部材８２に取り付けられている。
【００４１】
なお、後筒部材８２前端部外周面からの固定突起８２ｃの突出寸法は僅かであり、前筒部材８３は、後筒部材８２に対してその前方向に強く引っ張ることで、後筒部材８２から抜き出すことが可能である。前筒部材８３は後筒部材８２から抜き出すことで、その内側の清掃等を楽に行なうことができる。
固定突起８２ｃは、前筒部材８３が後筒部材８２前端部から不用意に抜け出さないように係止する機能を果たす。
【００４２】
ここで、送り機構３のうち、ヘッド部材２３を経たテープ状の清掃体２の走行位置を、巻取リール３１に至る手前の位置において巻取リール３１の回転軸線と平行な方向に往復移動させるためのトラバース機構１２０について、図１０〜図１５を参照して、さらに詳細に説明する。
【００４３】
トラバース機構１２０は、図１４に示すようなガイド部材１２２と、前記運動変換機構としての図１５に示すような回転部材１２６、および前述の回転阻止部材１３８とを備えている。このうちガイド部材１２２は、全体として厚板長板状に作られるとともに、その厚さ方向が巻取リール３１の回転軸線と平行となるように配置されている。そしてそのガイド部材１２２には、厚さ方向に対して直交する方向（すなわち巻取リール３１の回転軸線に直交する方向）に貫通する貫通ガイド部１２４が形成され、かつガイド部材１２２の長さ方向の一端側には、前記回転阻止部材１３８が相対的に摺動可能に挿入される断面Ｕ字状の凹溝部１２２Ａが、厚さ方向に沿って形成され、また長さ方向の他端側には、前記回転部材１２６の円柱部１２６Ｂが貫通する断面略円形の貫通孔１２２Ｃが、厚さ方向に沿って形成され、さらにその貫通孔１２２Ｃの内側の一部には、前記回転部材円柱部１２６Ｂの外周面１２６Ｃに形成された連続凹溝状の係合案内部１２６Ｄに差し込まれる突起状の係合部１２２Ｄが形成されている。
【００４４】
前記ガイド部材１２２における貫通ガイド部１２４は、その内側空間の断面形状について、巻取リール３１の回転軸線に平行な方向（したがってそのガイド部材１２２の直線往復移動方向）の最小間隔が、テープ幅Ｗよりもわずかに大きく、かつそれに直交する方向の最小間隔が、テープ幅Ｗよりも小さい距離となるように、例えば断面形状が長方形もしくは楕円形状（図示の例では長方形）となるように作られている。またその貫通ガイド部１２４の内面の貫通方向両端部分（開口端付近）は、それらの内面が外側に向かって滑らかなテーパー状に拡大するように作られている。
【００４５】
一方前記回転阻止部材１３８は、全体としてレール状をなすものであり、そのレール長さ方向が巻取リール３１の回転軸線に平行な方向に沿うように配設され、かつその回転阻止部材１３８は、ガイド部材１２２の断面Ｕ字形状の凹溝部１２２Ａに対応する凸状阻止面１３８Ａを備えている。そして前記ガイド部材１２２の凹溝部１２２Ａに回転阻止部材１３８の凸状阻止面１３８Ａが相対的に摺動自在に差し込まれて、巻取リール３１の回転軸線に直交する面内でのガイド部材１３８の回転が阻止されると同時に、巻取リール３１の回転軸線に平行な方向へのガイド部材１２２の直線移動が許容もしくは案内されるようになっている。
【００４６】
一方前記回転部材１２６は、図１５に示すように、円柱状をなす外周面１２６Ｃを有する円柱部１２６Ｂと、その円柱部１２６Ｂにおける軸線方向の一端側に固定された被動ギヤ部１２６Ａとによって構成されている。そして円柱部１２６Ｂの外周面１２６Ｃには、ガイド部材１２２の突起状の係合部１２２Ｄが係合する連続凹溝状の係合案内部１２６Ｄが形成されている。この連続凹溝状の係合案内部１２６Ｄは、円柱部外周面１２６Ｃの周方向には無端に連続し、しかも外周面１２６Ｃにおける軸線方向に平行な方向の位置が、その軸線方向に沿って連続的に変位するように定められている。具体的には、その係合案内部１２６の円柱部１２６Ｂの外周面１２６Ｃ上の軌跡Ｐが、その外周面１２６Ｃを平面状に展開したときに、正弦波もしくはそれに近い波状となり、かつ３６０°周回した位置で原位置に戻るように定められている。なおこの円柱部外周面１２６Ｃ上の係合案内部１２６Ｄの軌跡については、円柱部１２６Ｂを、その軸線に対し傾斜する面で切断したときに現れる楕円形状の断面の周縁形状もしくはそれに近い形状と表現することもできる。
なおここで回転部材１２６の円柱部１２６Ｂについて「円柱」と表現しているが、これは厳密な意味での中実円柱に限られることを意味するものではなく、中空な円筒をも含むことはもちろんである。
【００４７】
さらに前記回転部材１２６の円柱部１２６Ｂは、ガイド部材１２２の貫通孔１２２Ｃに相対的に摺動可能に貫通挿入され、その貫通孔１２２Ｃの内面の突起状の係合部１２２Ｄが、回転部材円柱部１２６Ｂの外周面１２６Ｃの凹溝状の係合案内部１２６Ｄに、その係合案内部１２６Ｄの長さ方向（連続方向）に相対的に摺動可能に差し込まれ（係合され）ている。
【００４８】
ここで上述の回転部材１２６は、その回転軸線が巻取リール３１の回転軸線と平行となるように、回転自在に支持されている。そして回転部材１２６の一端側の被動ギヤ部１２６Ａは、図１１に示すように、中間回転伝達体１２８の小径ギヤ１２８Ｂに噛み合っている。中間回転伝達体１２８は、上述の小径ギヤ１２８Ｂと、大径ギヤ１２８Ｂとを、共通の軸線を中心とするように一体に重ね合わせたもので、巻取リール３１の回転軸線と平行な軸線を中心として回転自在に支持されている。そして中間回転伝達体１２８の大径ギヤ１２８Ａは、巻取リール３１の第１フランジ板４８Ｂに固定された第２のギヤ１３０に噛み合っている。
【００４９】
したがって回転部材１２６には、巻取リール３１の回転時に、中間回転伝達体１２８を介して巻取リール３１の回転が伝達されて、軸中心に回転することになる。そしてこの回転部材１２６の係合案内部１２６Ｄには、ガイド部材１２２の係合部１２２Ｄが摺動可能に係合しており、その係合案内部１２６Ｄは、前述のようにその位置が軸線方向に沿って連続的に変位するように定められている。このため、図１６（ａ）〜（ｃ）に示すように、ガイド部材１２２は、回転部材１２６の回転に伴って、その回転軸線に沿った方向に直線的に移動せしめられることになる。しかも係合案内部１２６Ｄは、円柱状外周面１２６Ｃの周方向には無端に連続していることから、上記の回転部材１２６の回転に伴うガイド部材１２２の直線運動は、所定のストロークの往復運動となる。ここで、上述のような作用面から見れば、前記係合案内部１２６Ｄおよび係合部１２２Ｄは、回転部材１２６が回転したときにガイド部材１２２をその回転部材１２６の回転軸線と平行な方向に往復移動させ得るような形状に作られている、と言うこともできる。
なお図１６（ａ）〜（ｃ）において、Ｔは往復動する回転部材１２６の片道分の移動距離、Ｗはテープ状の清掃体２（清掃テープ）のテープ幅、Ｌは巻取リール３１のフランジ部間の距離である。また、図１６（ａ）〜（ｃ）は、第２のギヤ１３０、大径ギヤ１２８Ａ、小径ギヤ１２８Ｂ、被動ギヤ部１２６Ａの間のギヤ比を、図示の例では巻取リール３１が６回転する間に、回転部材１２６が１回転するように定めた場合を例示している。
【００５０】
次に、清掃工具１のコネクタ押さえ部材６２について説明する。
図１、図１８から図２０（ａ）〜（ｆ）に示すように、図示例のコネクタ押さえ部材６２は、前筒部材８３にその軸線方向にスライド移動可能に外挿された筒状本体６３と、この筒状本体６３から前側に突設された門形の押さえ片部６４と、筒状本体６３からその後側に突出された指掛け部６５とを有する。
指掛け部６５は、外観角筒状の筒状本体６３の４面の側壁部の一つから、工具後側に行くに従って筒状本体６３の軸線から離隔するように湾曲して形成されている。
【００５１】
このコネクタ押さえ部材６２は、前筒部材８３に対して、筒状本体６３前端が前筒部材８３前端外周に突設されている抜け止め突部８３ｃ（図２４等参照）にその後ろ側から当接する位置が前筒部材８３に対する前側への移動限界位置となっている。但し、図示例の抜け止め突部８３ｃは、その前側及び後側が傾斜面（図示例では湾曲面）になっており、
前筒部材８３に対して、筒状本体６３を強く引っ張ることで、筒状本体６３が抜け止め突部８３ｃを乗り越えて、前筒部材８３から抜き出し可能である。また、前筒部材５３から取り外した状態のコネクタ押さえ部材６２の筒状本体６３を前筒部材８３前端から外挿することも可能である。
【００５２】
前記前筒部材８３は断面外形が長方形の角筒状に形成されている。コネクタ押さえ部材６２の筒状本体６３は、その内側孔の断面外形が前筒部材８３の外周の４面に面接触する細長８角形をなしている。このコネクタ押さえ部材６２の筒状本体６３は、特定の２つの向きでのみ前筒部材８３に挿入可能である。
図示例の清掃工具１の延出部２０は、清掃工具１の延出方向（前後方向）の長さを短くするため、収容体１１内側にて付勢手段４０をその前方のガイド筒部８１と並べたことにより、収容体１１前端中央からずれた位置に設けられている。コネクタ押さえ部材６２は、図１に示すように、指掛け部６５が、細長容器状の収容体１１の中心軸線の仮想延長に対する延出部２０のずれ方向とは反対の方向に向かって筒状本体６３から突出する向き（第１の向き）と、延出部２０を介して図１とは反対の方向に向かって突出する向き（第２の向き）でのみ前筒部材８３に対して取り付け可能である。コネクタ押さえ部材６２を第１の向きで取り付けた場合、第２の向きに比べて省スペース化の点で有利であり、例えば、清掃工具１を狭隘な作業スペースに差し入れて光ファイバの接合面を清掃する作業を楽に行えるといった利点がある。
【００５３】
前記収容体１１は、作業者が手指で把持することができる細長形状に形成されている。
前筒部材８３に筒状本体６３を外挿して取り付けたコネクタ押さえ部材６２の指掛け部６５は、収容体１１を把持する手の手指を使って引っ張り操作可能な位置に配置される。
なお、指掛け部６５の形状は、収容体１１を把持する手の手指を使って引っ張り操作可能であれば良く、図示例の形状に限定されない。
指掛け部６５は、例えば、筒状本体６３後端からその軸線に垂直の方向に突出する形状とすることも可能である。
【００５４】
図示例のコネクタ押さえ部材６２は、プラスチック製の一体成形品である。
押さえ片部６４は、筒状本体６３の内側孔を介して互いに対面する側壁部から筒状本体６３軸線方向に突出された一対の脚部６４ａを、筒状本体６３軸線方向に垂直に延在する橋絡部６４ｂによって橋絡した門形に構成されている。
【００５５】
前記橋絡部６４ｂの延在方向中央部には、清掃工具１を用いて接合面の清掃を行なう光コネクタ７０を取り付けるコネクタ取付部６６が形成されている。
前記橋絡部６４ｂの延在方向中央部は、前筒部材８３内側に収容されているヘッド部材２３の先端ヘッド部２８の押当て面２４の前方にて、該押し当て面２４に対向する位置に配置されている。
図１８、図１９、図２１に示すように、コネクタ取付部６６は、橋絡部６４ｂの延在方向中央部に、その先端ヘッド部２８に対向する側に光コネクタ７０を収容するコネクタ収容溝６６ａと、該コネクタ収容溝６６ａに収容した光コネクタ７０のコネクタ収容溝６６ａからの脱落を規制するコネクタ保持突部６６ｂを形成した構成になっている。
【００５６】
ここで、光コネクタ７０の一例について説明する。
図２２、図２３（ａ）〜（ｃ）は、前記光コネクタ清掃工具１を用いて接合面の清掃を行う適用対象の光コネクタの一例を示す。
【００５７】
図２２、図２３（ａ）〜（ｃ）に例示した光コネクタ７０は、光ファイバ先端部を内挿固定するボディとして、アクリル樹脂等の、屈折率が空気よりも大きい透明プラスチック製の板状のボディ７１を用いたものである。
図示例の光コネクタ７０の前記ボディ７１には、光ファイバ６１の先端部が、ボディ７１片面の接合面７２に沿う向きで内挿固定されている。また、前記ボディ７１には、前記光ファイバ６１先端の入射光又は出射光を反射して前記接合面７２に交差する屈曲した光路Ｈ（図２３（ｂ）参照）を形成する凹所７３が形成されている。前記凹所７３は、前記光ファイバ６１先端の光軸（具体的には、後述の裸光ファイバ６１ｂ先端の光軸）上に位置する。
【００５８】
前記凹所７３の前記光ファイバ６１側には、前記光ファイバ６１先端に接近するにしたがいボディ７１の接合面７２からの距離が増大するように、前記接合面７２及び光ファイバ６１先端の光軸に対して傾斜する内面７３ａが形成されている。この凹所７３は、前記内面７３ａが、ボディ７１と該凹所７３内側の空気との屈折率差によって、光ファイバ６１先端の入射光又は出射光を反射する反射面（光軸変更部）として機能する。以下、前記内面７３ａを反射面とも言う。
【００５９】
図２２、図２３（ａ）〜（ｃ）に例示した光コネクタ７０には、前記反射面７３ａによって、前記接合面７２に直交する仮想垂直線に沿う向きで接合面７２中央部と交差する屈曲した光路Ｈが形成される。
前記光ファイバ６１先端から出射された出射光は、前記光路Ｈを以て光コネクタ７０のボディ７１内を進行して、接合面７２中央部から出射される。光コネクタ７０の接合面７２側から前記光ファイバ６１に入射される入射光は、前記光路Ｈを以てボディ７１内を進行して、光ファイバ６１にその先端から入射する。
【００６０】
図２２、図２３（ａ）〜（ｃ）に例示した光コネクタ７０は、光ファイバ６１として光ファイバテープ心線６１Ａを用い、該光ファイバテープ心線６１Ａの先端部をボディ７１に内挿固定した構成になっている。光ファイバテープ心線６１Ａの先端には裸光ファイバ６１ｂが口出しされている。光ファイバテープ心線６１Ａは、複数本の裸光ファイバ６１ｂが被覆材によって一括被覆されたテープ状の被覆部６１ａの先端部と、該被覆部６１ａ先端から突出する裸光ファイバ６１ｂとをボディ７１に挿入して、ボディ７１に固定されている。
【００６１】
前記ボディ７１は、概ね長方形の接合面７２を有する長方形板状に形成されている。光ファイバテープ心線６１Ａの被覆部６１ａの先端部は、ボディ７１の長手方向片端から中央部に向かって延在形成された孔（不図示）に内挿固定されている。また、光ファイバテープ心線６１Ａの被覆部６１ａ先端から突出する複数本の裸光ファイバ６１ｂは、ボディ７１に形成された不図示の位置決め溝あるいは位置決め孔によって接合面７２に沿う向きで互いに平行に高精度に位置決めされている。
光ファイバテープ心線６１Ａは、テープ状の被覆部６１ａの両面及び被覆部６１ａ先端から突出する裸光ファイバ６１ｂがボディ７１の接合面７２に沿う向きで、ボディ７１に固定されている。
【００６２】
前記光路Ｈは、前記反射面７３ａによって、複数本の裸光ファイバ６１ｂのそれぞれについて形成される。前記光路Ｈは、具体的には、前記裸光ファイバ６１ｂについて、その先端面から入射又は出射する光（裸光ファイバ６１ｂにその先端面から入射する入射光、又は裸光ファイバ６１ｂ先端面から出射する出射光）の光路である。
【００６３】
各裸光ファイバ６１ｂ先端（光ファイバ６１先端）は、前記凹所７３の反射面７３ａから離隔して配置されている。裸光ファイバ６１ｂ先端面と反射面７３ａとの間にはボディ７１の一部が存在する。ボディ７１の裸光ファイバ６１ｂ先端面に対面する面は、裸光ファイバ６１ｂ先端の光軸に概ね垂直に形成されている。裸光ファイバ６１ｂは、ボディ７１に対して、その先端面を接近配置あるいは突き当てて光結合されている。
【００６４】
光コネクタ７０について、ボディ７１の接合面７２におけるその長手方向に垂直の方向を、以下、幅方向とも言う。光ファイバテープ心線６１Ａ先端に口出しされている複数本の裸光ファイバ６１ｂは、ボディ７１内においてボディ７１幅方向に横並びに配列されている。
ボディ７１の凹所７３は、前記反射面７３ａによって、光ファイバテープ心線６１Ａの複数本の裸光ファイバ６１ｂについて前記光路Ｈを互いに平行に形成するべく、ボディ７１の接合面７２とは反対の背面７６から窪んで、ボディ７１幅方向に延在する溝状に形成されている。
【００６５】
図２３（ｃ）に示すように、前記反射面７３ａによって、光ファイバテープ心線６１Ａの複数本の裸光ファイバ６１ｂについてそれぞれ形成される光路Ｈは、ボディ７１の接合面７２において、その長手方向中央部にてボディ幅方向に一列に配列される。
前記接合面７２の長手方向中央部の光路Ｈが配列されている領域を、以下、入出射領域７７とも言う。
図２３（ｂ）、（ｃ）に示すように、ボディ７１の接合面７２の長手方向中央部には、ボディ幅方向に延在する溝部７４が形成されている。前記反射面７３ａによって、光ファイバテープ心線６１Ａの複数本の裸光ファイバ６１ｂについてそれぞれ形成される光路Ｈは、具体的には、前記溝部７４の溝底面７４ａを通るように形成される。図示例の光コネクタ７０は、前記溝部７４の溝底面７４ａが前記入出射領域７７となっている。
なお、図示例の光コネクタ７０の前記溝部７４の溝底面７４ａは、前記接合面７２に沿う平坦面に形成されている。
【００６６】
次に、テープ状の清掃体２を用いての清掃工具１の使用方法、及び使用時の各部の動作の一例について説明する。
ここでは、一例として、清掃工具１を用いて、図２２、図２３を参照して説明した光コネクタ７０の接合面７２を清掃する場合について説明する。
【００６７】
前記光コネクタ７０は、前記溝底面７４ａを含む接合面７２長手方向中央部に汚れや異物が付着していると伝送損失に与える影響（伝送損失の増大）が大きい。このため、前記光コネクタ７０の溝底面７４ａを含む接合面７２長手方向中央部は、清掃による汚れや異物の除去の必要性が高い。
なお、本明細書において、光コネクタ７０の接合面７２の長手方向中央部は、溝底面７４ａを含むものとして扱う。
【００６８】
前記光コネクタ７０の接合面７２を清掃工具１を用いて清掃するには、まず、図２４に示すように、光コネクタ７０をコネクタ押さえ部材６２のコネクタ取付部６６に取り付ける。
光コネクタ７０をコネクタ取付部６６に取り付ける作業は、その作業性の確保に鑑みて、橋絡部６４ｂを前筒部材８３前端から前側へ離隔させた位置に配置する（図２４の状態）か、あるいは、前筒部材８３から取り外した状態で行なう。
この取り付け作業は、光コネクタ７０をコネクタ取付部６６のコネクタ収容溝６６ａに収容する。
【００６９】
コネクタ収容溝６６ａは、押さえ片部６４の橋絡部６４ｂの延在方向中央部の先端ヘッド部２８に対向する側に、該橋絡部６４ｂの延在方向及び筒状本体６３の軸線方向に垂直の方向に延在形成されている。図１９等に示すように、このコネクタ収容溝６６ａは、橋絡部６４ｂの両側に開口している。
また、コネクタ保持突部６６ｂは、コネクタ収容溝６６ａの溝幅方向両側の内壁面における前記コネクタ収容溝溝底から離隔した位置に突設されている。図示例のコネクタ押さえ部材６２にあっては、コネクタ保持突部６６ｂは、前記内壁面の溝底とは反対側の端部に突設され、コネクタ収容溝６６ａの延在方向全長にわたって延在形成されている。
【００７０】
図２１、図２３に示すように、前記ボディ７１の接合面７２幅方向両端部には、ボディ長手方向に沿って切り欠き部７１ａが延在形成されている。
光コネクタ７０は、コネクタ収容溝６６ａにその延在方向片端から挿入する。光コネクタ７０は、コネクタ収容溝６６ａに対して、その光ファイバ６１が延出されている後面７８ａ（図２２参照）とは反対の先端部から挿入していく。また、光コネクタ７０は、その背面７６を溝底側としてコネクタ収容溝６６ａに挿入する。
これにより、ボディ７１の幅方向両側の、前記切り欠き部７１ａが形成された部分がコネクタ収容溝６６ａの溝底とコネクタ保持突部６６ｂとの間にがたつくことなく保持される。また、このコネクタ取付部６６では、コネクタ収容溝６６ａの内壁面及び／又はコネクタ保持突部６６ｂが、光コネクタ７０を先端ヘッド部２８に対して位置決めする位置決め部として機能する。
【００７１】
図２３（ｂ）、（ｃ）に示すように、光コネクタ７０の切り欠き部７１ａは、ボディ７１の先端から後端部（後面７８ａ側の端部）まで延在形成されており、ボディ７１の後端部には形成されていない。そして、光コネクタ７０は、前記切り欠き部７１ａから後側の、切り欠き部７１ａが形成されていない切り欠き部非形成部がコネクタ保持突部６６ｂに突き当たるまでコネクタ収容溝６６ａに挿入することで、コネクタ押さえ部材６２のコネクタ取付部６６に対して位置決めして取り付けることができる（図２５参照）。
【００７２】
コネクタ取付部６６に対する取り付け、位置決めが完了した光コネクタ７０は、その接合面７２の長手方向中央部が、先端ヘッド部２８の押当て面２４に対して正対する位置に配置される。
このとき、光コネクタ７０の溝部７４は、コネクタ押さえ部材６２の橋絡部６４ｂの延在方向に沿って延在している。また、このとき、光コネクタ７０の溝部７４は、清掃体２（清掃テープ）の、先端ヘッド部２８の押当て面２４に沿って巻き回された部分に正対して配置される。
【００７３】
また、図２１に示すように、光コネクタ７０は、コネクタ取付部６６に対する取り付けが完了したときに、その接合面７２形成部分が、コネクタ押さえ部材６２のコネクタ保持突部６６ｂに比べて先端ヘッド部２８側に僅かに突出した状態となる。
したがって、コネクタ押さえ部材６２の指掛け部６５を引っ張り操作して、光コネクタ７０の接合面２４に清掃体２を押し当てる際に、コネクタ保持突部６６ｂが障害になるこはない。また、光コネクタ７０の接合面２４に清掃体２を押し当てるとき、コネクタ取付部６６は、光コネクタ７０を清掃体２に押さえ込むコネクタ押さえ部として機能する。
【００７４】
コネクタ取付部６６への取り付けが完了したら、光コネクタ７０の接合面２４に清掃体２を押し当てて清掃する清掃作業を行なう。
この作業は、例えば、コネクタ押さえ部材６２の指掛け部６５の引っ張り操作、によって行なうことができる。
【００７５】
図２１に示すように、光コネクタ７０のコネクタ取付部６６に対する取り付けが完了したら、コネクタ押さえ部材６２の指掛け部６５の引っ張り操作によって、図２６、図２７に示すように、前筒部材８３前端に、コネクタ押さえ部材６２の押さえ片部６４（具体的には橋絡部６４ｂ）を当接させることができる。
そして、指掛け部６５の引っ張り操作を継続して前筒部材８３及び後筒部材８２を収容体１１に対して相対的に後側へ向かって移動する。
【００７６】
図２８（ａ）は、コネクタ押さえ部材６２の指掛け部６５の引っ張り操作によって、前筒部材８３前端にコネクタ押さえ部材６２の押さえ片部６４を当接させたが、前筒部材８３の収容体１１に対する後側への相対移動は開始されていない、初期状態（非使用時）を示す。
この初期状態においては、収容体１１は、延出部２０および送り機構３に対して相対的に比較的後方に位置している。
【００７７】
コネクタ押さえ部材６２の指掛け部６５の引っ張り操作によって、前筒部材８３を収容体１１に対して相対移動（後側へ向かって移動）させれば、光コネクタ７０を先端ヘッド部２８に接近させることができ、さらに、光コネクタ７０を先端ヘッド部２８の押当て面２４に巻き回されている清掃体２に当接させることができる。
なお、コネクタ押さえ部材６２の指掛け部６５の引っ張り操作にかえて、収容部１１を把持する手とは別の手でコネクタ押さえ部材６２を収容部１１に向かって押圧することでも、光コネクタ７０を先端ヘッド部２８の押当て面２４に巻き回されている清掃体２に当接させることは可能である。
【００７８】
図２８（ｂ）に示すように、光コネクタ７０を、先端ヘッド部２８の押当て面２４に巻き回されている清掃体２に当接した後、指掛け部６５の引っ張り操作等によって、後方への移動をさらに継続すると、収容体１１は延出部２０に対して相対的に前方に移動する。
このとき、延出部２０の筒体基部８１ｂは、図９に示す規制板４２Ａ、４２Ｂによって後方移動が規制された状態で筒体基部収容部３６に収容されているため、送り機構３の前後方向位置は大きく変化しない。このため、付勢手段４０は駆動体１３により圧縮され、支持枠３５からの反力により駆動体１３を後方に付勢する状態となる。
【００７９】
図２８（ｂ）に示すように、収容体１１の駆動体１３が回転筒部８２に対して相対的に前方移動すれば、挿入凸部５４も筒体基部８１ｂの凸部案内溝８１ｅに挿入された状態で前方移動する。
またここで駆動体１３が送り機構３に対し相対的に移動すれば、ギヤ受け部５６によって、第１のギヤ３８に回転方向の力が与えられる。この第１のギヤ３８の回転に伴って巻取リール３１も回転するため、テープ状の清掃体２は、ガイド部材１２２の貫通ガイド部１２４を経て、後述するように巻取リール３１の軸線方向に沿って移動（トラバース）せしめられながら、巻取リール３１の胴部４７に巻取られる。
これに伴ってテープ状の清掃体２が供給リール３０から引き出され、ヘッド部材２３の押当て面２４を通って送り移動される。このような清掃体２の送り移動によって、接合面７２に付着しているゴミや埃、油分などの汚れが確実に拭き取られる。
【００８０】
この清掃工具１は、指掛け部６５の後方への移動により、清掃体２への光コネクタ７０の押さえ込みと、清掃体２の送り移動とを同時に実現できる。この清掃工具１は、指掛け部６５を引っ張り操作等によって後方へ移動させるだけで、光コネクタ７０の接合面７２の清掃を簡単に実現できる。
【００８１】
なお、図２９（ａ）、（ｂ）は、上述の動作をコネクタ押さえ部材の図示を省略して示したものである。
【００８２】
既述のように、光コネクタ７０はコネクタ押さえ部材６２のコネクタ取付部６６に取り付けることで、溝部７４が、清掃体２（清掃テープ）の、先端ヘッド部２８の押当て面２４に沿って巻き回された部分に正対して配置される。また、このとき、光コネクタ７０は、テープ状の清掃体（清掃テープ）の幅方向に対してボディ長手方向が垂直の向きで、接合面７２の長手方向中央部が先端ヘッド部２８の押当て面２４に正対される。
【００８３】
また、図２５等のように、光コネクタ７０としては、接合面７２の溝部７４を介して両側にガイドピン７５が突設された構成のものと、ガイドピン７５が無くガイドピン穴が接合面７２に開口している構成のものとがある。
ガイドピン付きの光コネクタ７０の清掃の場合、テープ状の清掃体は接合面７２のうち一対のガイドピン７５の間の領域に押し当てる。
【００８４】
図６に示すように、先端ヘッド部２８の押当て面２４は、先端ヘッド部２８両側のガイド口部２５間にわたって延在する細長形状に形成されている。押当て面２４は、先端ヘッド部２８両側のガイド口部２５の間隔方向を長手方向とする細長形状に形成されている。
先端ヘッド部２８には、押当て面２４の幅方向中央部に、光コネクタ７０の溝部７４の溝底面７４ａに清掃体２を押し込んで溝底面７４ａの清掃を確実に行なうための突条部２７が、押当て面２４のその長手方向全長にわたって延在形成されている。
【００８５】
図３０に示すように、光コネクタ７０は、コネクタ押さえ部材６２のコネクタ取付部６６に取り付けた後、コネクタ押さえ部材６２の前筒部材８３に対するスライド移動によって、ボディ７１の溝部７４を先端ヘッド部２８の突条部２７に位置合わせして、先端ヘッド部２８に向かって押圧される。ボディ７１の溝部７４には、前記突条部２７を清掃体２とともに収容できる。そして、前記溝底面７４ａを、突条部２７によって清掃体２を押し当てて確実に清掃できる。
なお、清掃工具としては、ヘッド部材２３に突条部２７を具備していない構成も採用可能である。例えば、光コネクタ７０の溝部５４の深さは微小であることが多く、接合面７２に押し付けた清掃テープの厚みによって溝部５４内の清掃も可能である場合がある。
【００８６】
以上のようにして清掃が終了した後、コネクタ押さえ部材６２を収容体１１に向かって押圧する押圧力を解除すれば、清掃工具は付勢手段の弾性付勢力によって図２８（ａ）の初期状態に復帰する。
【００８７】
上述のコネクタ押さえ部材６２は、既述の光コネクタのみならず、例えば、図３１〜図３３に示すように、既述の光コネクタ７０にカバー部材５９を装着してなるカバー付き光コネクタ７０Ａの清掃、先端ヘッド部２８への押さえ込みにも利用できる。
【００８８】
ここで、前記カバー付き光コネクタ７０Ａについて説明する。
図３４（ａ）〜（ｃ）、図３５（ａ）、（ｂ）に示すように、前記カバー部材５９は、光コネクタ７０のボディ７１の背面７６を覆うカバー天板部５９ａの片面側に、前記ボディ７１の長方形状の前記背面７６の外周の４辺に対応する４面の外壁面（後面７８ａ、側面７８ｂ、７８ｃ、先端面７８ｄ）のうちの光ファイバ６１が延出されている後面７８ａを除く３面を覆うコ字状側壁部５９２を立設した構成のカバー部材本体５９１を有する。そして、このカバー部材５９は、カバー部材本体５９１の内側に嵌合した光コネクタ７０を収容して、前記光コネクタ７０の接合面７２を表出させた状態で光コネクタ７０外側に装着される。
【００８９】
前記コ字状側壁部５９２は、光コネクタ７０の背面７６の一対の長辺に沿って延在する一対の側面７８ｂ、７８ｃを覆う一対のカバー側板部５９ｂ、５９ｃと、前記光コネクタ７０の前記後面７８ａとは反対の先端面７８ｄを覆うカバー端板部５９ｄとによって、カバー天板部５９ａの片面側にコ字状に形成されている。カバー側板部５９ｂ、５９ｃは、長方形板状のカバー天板部５９ａの平面視一対の長辺に沿ってカバー天板部５９ａに対して垂直に立設され、互いに平行に延在形成されている。カバー端板部５９ｄは、カバー天板部５９ａの平面視一対の短辺の片方に沿ってカバー天板部５９ａに対して垂直に立設され、一対のカバー側板部５９ｂ、５９ｃの延在方向片端間を塞ぐように、カバー側板部５９ｂ、５９ｃに垂直に形成されている。
【００９０】
また、このカバー部材５９は、前記カバー端板部５９ｄのカバー天板部５９ａとは反対の突端に突設された第１位置決め突部５９ｅを有する。この第１位置決め突部５９ｅは、前記カバー端板部５９ｄの突端から、カバー天板部５９ａとは反対の側へ突出された突片である。
また、カバー部材５９は、カバー端板部５９ｄ側の先端部とは反対の基端部に、一対のカバー側板部５９ｂ、５９ｃのカバー天板部５９ａとは反対の突端部間を橋絡する橋絡片である第２位置決め突部５９ｆを有する。第２位置決め突部５９ｆは、一対のカバー側板部５９ｂ、５９ｃの基端部（カバー端板部５９ｄとは反対側の端部）間を橋絡している。第２位置決め突部５９ｆは、一対のカバー側板部５９ｂ、５９ｃに対して、カバー天板部５９ａとは反対のカバー開口側に突出して形成されている。
【００９１】
光コネクタ７０は、カバー部材５９のカバー部材本体５９１の一対のカバー側板部５９ｂ、５９ｃの基端部側から、カバー天板部５９ａに沿わせるようにして、カバー端板部５９ｄに向かって押し込んで行くことで、カバー部材本体５９１内側に収容できる。光コネクタ７０は、その先端面７８ｄをカバー部材５９のカバー端板部５９ｄに当接させる。カバー部材５９の第２位置決め突部５９ｆは、カバー側板部５９ｂ、５９ｃに対してその突端からカバー天板部５９ａとは反対の側に位置するため、カバー部材本体５９１内側への光コネクタ７０の収容作業の障害にならない。
【００９２】
図３４（ｂ）等に示すように、カバー付き光コネクタ７０Ａにおいて、光コネクタ７０は、そのボディ背面７６をカバー天板部５９ａに当接させ、ボディ７１両側の側面７８ｂ、７８ｃをカバー側板部５９ｂ、５９ｃの互いに対面する内面側に当接させ、先端面７８ｄをカバー部材５９のカバー端板部５９ｄに当接させてカバー部材５９内側に嵌め込まれる。
カバー付き光コネクタ７０Ａは、光コネクタ７０の接合面７２側が、カバー側板部５９ｂ、５９ｃ及びカバー端板部５９ｄの突端から若干突出し、溝部７４全体がカバー部材５９外側に配置される構成になっている。溝部７４の溝底面７４ａは、カバー側板部５９ｂ、５９ｃ及びカバー端板部５９ｄの突端からカバー天板部５９ａとは反対のカバー部材５９外側に配置される。また、光コネクタ７０は、ボディ７１長手方向中央部が、カバー部材５９のカバー側板部５９ｂ、５９ｃの延在方向中央部、該延在方向における第１、第２位置決め突部５９ｅ、５９ｆ間の位置に配置される。
【００９３】
図３３に示すように、カバー付き光コネクタ７０Ａは、カバー部材５９の第１、第２位置決め突部５９ｅ、５９ｆを、前筒部材８３のその前端開口部を介して互いに対面する壁部間に嵌め込み可能になっている。これにより、先端ヘッド部２８に対する位置決めを容易に行なうことができる。
【００９４】
図３６、図３７に示す清掃工具２１０は、送り機構として供給リール２２３及び巻取リール２２４を収容する収容体部２２１（収容体）に、この収容体部２２１から延出する筒状延出部２２２が一体に形成された本体ケース２２０を有している。また、この清掃工具２１０は、筒状延出部２２２先端内側に設けたヘッド部材２３０（清掃体押圧部材）に、供給リール２２３から巻取リール２２４へ送り移動されるテープ状の清掃体２を巻き回してある。この清掃工具２１０は、巻取リール２２４に一体に固定したダイヤル２２５の本体ケース２２０外側に露呈させた部分を回転操作して、供給リール２２３に巻き付けられている清掃体２を供給リール２２３から巻取リール２２４に引き取っていく構成のものである。
この清掃工具２１０は、筒状延出部２２２に挿脱可能に外挿されたコネクタ押さえ部材６２（図３６では図示を省略）を有し、このコネクタ押さえ部材６２によって、光コネクタを、ヘッド部材２３０に巻き回されて筒状延出部２２２先端に露呈する清掃体２に押し付けることができる。そして、この清掃工具２１０は、光コネクタの接合面を清掃体２に押し付けた状態で、ダイヤル２２５を回転操作することで、光コネクタの接合面を清掃できる。
【００９５】
この清掃工具２１０の筒状延出部２２２は、ヘッド部材２３０を収容する押圧部材収容壁部（前筒部材）として機能する。
この清掃工具２１０の筒状延出部２２２は、収容体部２２１前端部において、その片側に設けられたダイヤル２２５を避けるべく、ダイヤル２２５とは反対の側にずれた位置に設けられている。コネクタ押さえ部材６２の筒状延出部２２２に対する取り付け向きは、指掛け部６５が筒状延出部２２２に外挿されている筒状本体６３からダイヤル２２５に向かって斜め後方（図３７において右側が後）へ突出する第１の向き（図３７に例示した向き）と、ダイヤル２２５とは反対の側に斜め後方へ突出する第２の向きとがある。筒状延出部２２２は、その軸線方向に垂直の断面外形が長方形状である。コネクタ押さえ部材６２としては、例えば、前記第１の向きあるいは第２の向きでのみ筒状延出部２２２に筒状本体６３を外挿可能なように、筒状延出部２２２の内側孔の断面形状を調整した構成とする。
コネクタ押さえ部材６２は、筒状延出部２２２に対する取り付け向きが第１の向きであれば、第２の向きに比べて省スペース化の点で有利である。
【００９６】
この清掃工具２１０は、既述の図１等に例示した清掃工具１とは異なり、光コネクタの接合面を清掃する際に、ダイヤル２２５の回転操作と、コネクタ押さえ部材６２の指掛け部６５の引っ張り操作とを要するが、コネクタ押さえ部材６２によって光コネクタのヘッド部材２３０に対する位置決めを確実に行なえ、接合面をくまなく清掃できる点は既述の清掃工具１と同様である。
【００９７】
以上、本発明を最良の形態に基づいて説明してきたが、本発明は上述の最良の形態に限定されるものではなく、本発明の要旨を逸脱しない範囲で種々の改変が可能である。
例えば光コネクタの具体的構成は、本発明の技術的思想に適合する限り、なんら限定されるものではない。上述の実施形態では、光コネクタとして、図２３（ａ）〜（ｃ）に例示した多心用の表面実装型光コネクタを例示したが、これに限定されず、例えば単心用の表面実装型光コネクタも適用可能である。
また、表面実装型光コネクタには限定されず、種々のファイバ先端露出形光コネクタも適用可能である。例えば、多心光コネクタであるＭＴ形光コネクタ、ＭＰＯ形光コネクタ、単心光コネクタであるＳＣ形光コネクタ、ＬＣ形光コネクタ、ＭＵ形光コネクタ等も適用可能である。
なお、光ファイバ先端に組み立てられた表面実装形光コネクタは、コネクタから延出する光ファイバが、コネクタ押さえ部材の押さえ片部６４と干渉しにくいため、本発明に係る実施形態の清掃工具を用いた清掃に適用する光コネクタとして好適である。
【符号の説明】
【００９８】
１…光コネクタ清掃工具、２…テープ状の清掃体、３…送り機構、５…回転機構、１１…収容体、１３…駆動体、２０…延出部、２１…延出筒体、２３…清掃体押圧部材（ヘッド部材）、２４…清掃体受け面（押当て面）、２８…先端ヘッド部、３０…供給リール、３１…巻取リール、３５…支持枠、４０…付勢手段、５６…ギア受け部（駆動部）、６２…コネクタ押さえ部材、６３…筒状本体、６４…押さえ片部、６５…指掛け部、６６…コネクタ押さえ部（コネクタ取付部）、６６ａ…コネクタ収容溝、６６ｂ…コネクタ保持突部、８１…ガイド筒部、８２…後筒部材、８３…押圧部材収容壁部（前筒部材）、８３ｃ…抜け止め突部、８７…挿通孔、２１０…光コネクタ清掃工具、２２２…筒状延出部、２３０…清掃体押圧部材（ヘッド部材）。
【図１】
0005820721.tif 000002
【図２】
0005820721.tif 000003
【図３】
0005820721.tif 000004
【図４】
0005820721.tif 000005
【図５】
0005820721.tif 000006
【図６】
0005820721.tif 000007
【図７】
0005820721.tif 000008
【図８】
0005820721.tif 000009
【図９】
0005820721.tif 000010
【図１０】
0005820721.tif 000011
【図１１】
0005820721.tif 000012
【図１２】
0005820721.tif 000013
【図１３】
0005820721.tif 000014
【図１４】
0005820721.tif 000015
【図１５】
0005820721.tif 000016
【図１６】
0005820721.tif 000017
【図１７】
0005820721.tif 000018
【図１８】
0005820721.tif 000019
【図１９】
0005820721.tif 000020
【図２０】
0005820721.tif 000021
【図２１】
0005820721.tif 000022
【図２２】
0005820721.tif 000023
【図２３】
0005820721.tif 000024
【図２４】
0005820721.tif 000025
【図２５】
0005820721.tif 000026
【図２６】
0005820721.tif 000027
【図２７】
0005820721.tif 000028
【図２８】
0005820721.tif 000029
【図２９】
0005820721.tif 000030
【図３０】
0005820721.tif 000031
【図３１】
0005820721.tif 000032
【図３２】
0005820721.tif 000033
【図３３】
0005820721.tif 000034
【図３４】
0005820721.tif 000035
【図３５】
0005820721.tif 000036
【図３６】
0005820721.tif 000037
【図３７】
0005820721.tif 000038